(57)【要約】【課題】表示むらの発生を防ぐことができる液晶表示モジュールを提供する。【解決手段】  本発明は、液晶表示パネルと、この液晶表示パネルの背面に配置されたバックライト装置を有する液晶表示モジュール１０で、バックライト装置は、導光板１７と、導光板１７の裏面に配置された反射シート１９を有して構成されており、一端が液晶表示パネルに搭載され、他の一端が反射シート１９の裏側に重畳するように形成されたフレキシブルプリント基板１５を有し、フレキシブルプリント基板１５の他の一端と反射シート１９の間に、絶縁シート２０を配置したというものである。【選択図】図１
2008170740.tif 000002
【特許請求の範囲】
【請求項１】
液晶表示パネルと、該液晶表示パネルの背面に配置されたバックライト装置を有する液晶表示モジュールにおいて、
前記バックライト装置は、導光板と、該導光板の裏面に配置された反射シートを有して構成されており、
一端が前記液晶表示パネルに搭載され、他の一端が前記反射シートの裏側に重畳するように形成されたフレキシブルプリント基板を有し、
前記フレキシブルプリント基板の前記他の一端と前記反射シートの間に、絶縁シートを配置した液晶表示モジュール。
【請求項２】
請求項１の液晶表示モジュールにおいて、
前記絶縁シートは、２０μｍ以上５０μｍ以下の厚みを有する液晶表示モジュール。
【請求項３】
請求項２の液晶表示モジュールにおいて、
前記絶縁シートは、３０μｍ以上５０μｍ以下の厚みを有する液晶表示モジュール。
【請求項４】
請求項３の液晶表示モジュールにおいて、
前記絶縁シートは、３５μｍ以上４５μｍ以下の厚みを有する液晶表示モジュール。
【請求項５】
請求項１乃至４の何れか一項に記載の液晶表示モジュールにおいて、
前記フレキシブルプリント基板の前記他の一端は、前記反射シートの一部と重畳しており、
前記絶縁シートは、前記フレキシブルプリント基板の前記他の一端を越えて、前記反射シート上に配置されている液晶表示モジュール。
【請求項６】
請求項５の液晶表示モジュールにおいて、
前記絶縁シートは、前記フレキシブルプリント基板の前記他の一端を、少なくとも１０ｍｍ以上越えて前記反射シート上に配置されている液晶表示モジュール。
【請求項７】
請求項１乃至６の何れか一項に記載の液晶表示モジュールにおいて、
前記絶縁シートは、ＰＥＴで構成されている液晶表示モジュール。
【請求項８】
請求項１乃至７の何れか一項に記載の液晶表示モジュールにおいて、
前記フレキシブルプリント基板の前記他の一端上には光源が配置され、
該光源は、前記導光板の一側面に対面するように構成されている液晶表示モジュール。
【請求項９】
請求項８の液晶表示モジュールにおいて、
前記導光板と前記液晶表示パネルとの間には、光学シートが配置されている液晶表示モジュール。
【発明の詳細な説明】
【技術分野】
【０００１】
本発明は、液晶表示モジュールに関し、特に携帯電話等の小型の液晶表示モジュールに関する。
【背景技術】
【０００２】
現在、携帯電話には、２インチから４インチ程度の小型サイズの液晶表示パネルが使用されている。携帯電話は、液晶表示パネルとこの液晶表示パネルの背面に配置したバックライト装置により構成された液晶表示時モジュールと、液晶表示モジュールを収納する筐体により構成されている。
【０００３】
尚、本発明とは直接関係しないが、反射シートを両面テープで固定する技術が下記特許文献１に記載されている。
【０００４】
【特許文献１】特開平１１-３０５２２８号公報
【発明の開示】
【発明が解決しようとする課題】
【０００５】
図５は従来の液晶表示モジュールの構成を示す斜視図である。
【０００６】
液晶表示パネルは、ＴＦＴ基板１１とカラーフィルタ基板１２（以下、ＣＦ基板）に液晶層を挟持して重ね合わせることにより構成されている。またＴＦＴ基板１１上には、ＣＦ基板１２と重なっていない箇所に液晶表示パネルの駆動を制御するドライバチップ１３が形成されている。さらにこのドライバチップ１３に信号を供給するためにフレキシブルプリント基板１５の一端が配置されている。また、ＣＦ基板１２上には偏光板１４が配置されており、またＴＦＴ基板１１にも偏光板が配置されている。
【０００７】
この液晶表示パネルは、枠状のモールドフレーム１６の上側に配置され、またモールドフレーム１６の下側には、前述したフレキシブルプリント基板１５の他の一端の一部に挟まれるように、図示していない上拡散シート、上プリズムシート、下プリズムシート、下拡散シート等の光学シート、導光板１７、及び反射シート１９が配置されている。尚、フレキシブルプリント基板１５の他の一端上には、導光板１７の側面に対向してＬＥＤ等の光源１８が配置されている。
【０００８】
図６は、図５の従来の液晶表示モジュールにおけるＡ―Ａ’断面構成を示す図面であり、図５に示す液晶表示モジュールが上フレーム２１及び下フレーム２２の中に収納されている様子を示している。また、図７は図５の従来の液晶表示モジュールにおけるＢ―Ｂ’断面構成を示す図面であり、図６と同様に図５に示す液晶表示モジュールが上フレーム２１及び下フレーム２２の中に収納されている様子を示している。
【０００９】
図６に示すように、フレキシブルプリント基板１５の他の一端は、反射シート１９の一部と重畳するように配置されている。また、図７に示すように、フレキシブルプリント基板１５の他の一端は、例えば金属により構成される下フレーム２２により下側から押し付けられる力が加えられ、この力によりフレキシブルプリント基板１５の他の一端が、反射シート１９に接触し、結果として反射シート１９が撓み、表示ムラの原因になっていることがわかってきた。
【００１０】
本発明は、このような課題を解決すべく、なるべく表示画面の大きい液晶表示モジュールを、なるべく小さい収納スペースの筐体に押し込めても、表示むらの発生を防ぐことができる液晶表示モジュールを提供することにある。
【課題を解決するための手段】
【００１１】
本発明の一つの実施態様によれば、液晶表示パネルと、該液晶表示パネルの背面に配置されたバックライト装置を有する液晶表示モジュールにおいて、前記バックライト装置は、導光板と、該導光板の裏面に配置された反射シートを有して構成されており、一端が前記液晶表示パネルに搭載され、他の一端が前記反射シートの裏側に重畳するように形成されたフレキシブルプリント基板を有し、前記フレキシブルプリント基板の前記他の一端と前記反射シートの間に、絶縁シートを配置した、というものである。
【００１２】
この構成により、表示むらの発生を防ぐことができる液晶表示モジュールを提供することができる。
【００１３】
また、この液晶表示モジュールにおいて、前記絶縁シートは、２０μｍ以上５０μｍ以下の厚みを有するというものである。尚、絶縁シートの厚さについては、３０μｍ以上５０μｍ以下の厚みであればより一層効果が期待できる。絶縁シートの最適の厚さは、３５μｍ以上４５μｍ以下である。
【００１４】
さらには、これらの液晶表示モジュールにおいて、前記フレキシブルプリント基板の前記他の一端は、前記反射シートの一部と重畳しており、前記絶縁シートは、前記フレキシブルプリント基板の前記他の一端を越えて、前記反射シート上に配置されている、というものである。
【００１５】
また、この液晶表示モジュールにおいて、前記絶縁シートは、前記フレキシブルプリント基板の前記他の一端を、少なくとも１０ｍｍ以上越えて前記反射シート上に配置されている、というものである。
【００１６】
本発明の絶縁シートは、表面が滑らかな部材が好ましく、例えばＰＥＴシートで構成することが考えられる。
【００１７】
尚、これらの液晶表示モジュールにおいて、前記フレキシブルプリント基板の前記他の一端上には光源が配置され、該光源は、前記導光板の一側面に対面するように構成されている。また、この液晶表示モジュールにおいては、導光板と液晶表示パネルとの間には、上拡散シート、上プリズムシート、下プリズムシート、下拡散シート等の光学シートが配置されている。
【発明の効果】
【００１８】
本発明によれば、表示むらの発生を防ぐことができる液晶表示モジュールを提供することができる。
【発明を実施するための最良の形態】
【００１９】
図１は、本発明に関する液晶表示モジュール１０の構成を示すものである。
【００２０】
液晶表示パネルは、例えばガラス基板、プラスチック基板のような絶縁性の透明基板で構成されるＴＦＴ基板１１とカラーフィルタ基板１２（以下、ＣＦ基板１２）に液晶層を挟持して重ね合わせることにより構成されている。またＴＦＴ基板１１上には、ＣＦ基板１２と重なっていない箇所に液晶表示パネルの駆動を制御するドライバチップ１３が形成されている。さらにこのドライバチップ１３に信号を供給するためにフレキシブルプリント基板１５の一端が配置されている。また、ＣＦ基板１２上には偏光板１４が配置されており、またＴＦＴ基板１１にも偏光板が配置されている。尚、ＴＦＴ基板上にドライバチップ１３が配置されるので、ＣＦ基板はＴＦＴ基板よりもサイズが小さい。勿論、ＣＦ基板にドライバチップを配置する場合は、ＣＦ基板の方がＴＦＴ基板よりもサイズが大きくなる。
【００２１】
この液晶表示パネルは、枠状のモールドフレーム１６の上側に配置され、またモールドフレーム１６の下側には、前述したフレキシブルプリント基板１５の他の一端の一部に挟まれるように、図示していない上拡散シート、上プリズムシート、下プリズムシート、下拡散シート等の光学シート、導光板１７、及び反射シート１９が配置されている。尚、フレキシブルプリント基板１５の他の一端上には、導光板１７の側面に対向してＬＥＤ等の光源１８が配置されている。
【００２２】
導光板１７の一側面が、光源１８に対向するように配置されており、この導光板１７はモールドフレーム１６の液晶パネルが収納された反対側に収納され、さらにこの下に配置された反射シート１６が、反射シート１６の周囲に形成された粘着剤により、モールドケース１１に貼り付けられるようにして構成されている。
【００２３】
図２は、図１の本発明の液晶表示モジュールにおけるＡ―Ａ’断面構成を示す図面であり、図１に示す液晶表示モジュールが上フレーム２１及び下フレーム２２の中に収納されている様子を示している。また、図３は図１の従来の液晶表示モジュールにおけるＢ―Ｂ’断面構成を示す図面であり、図２と同様に図１に示す液晶表示モジュールが上フレーム２１及び下フレーム２２の中に収納されている様子を示している。
【００２４】
図２に示すように、本発明ではフレキシブルプリント基板１５の他の一端（光源１８が配置され、下フレームに２２の底面に配置されている部分）は、反射シート１９と一部が重畳するように配置されているが、このフレキシブルプリント基板１５の他の一端と、反射シート１９の間に、絶縁シート２０を配置するというものである。
【００２５】
図３には、図１におけるＢ―Ｂ’断面図を示すものであるが、フレキシブルプリント基板１５の他の一端が反射シート１９に直接接触せずに、絶縁シート２０に接触している様子を示している。このような絶縁シート２０を配置することで、フレキシブルプリント基板１５からの反射シート１９への押し付けの力が緩和され、表示ムラのない液晶表示モジュールを提供できるというものである。
【００２６】
図４により、本発明の絶縁シート２０について詳述する。
【００２７】
図４は、本発明の特徴点を示す図面であり、レキシブルプリント基板１５の他の一端と、その上に絶縁シート２０が配置された様子を示すものである。
【００２８】
絶縁シート２０は、表面がスムーズな部材、例えばＰＥＴシートにより構成することができる。この絶縁シート２０は、本発明の効果、及び一般的な液晶表示モジュールの薄型化の要求を考慮すると、厚さｔ１が３５μｍ以上４５μｍであれば、薄型化の要求を満たしつつ表示ムラをなくす液晶表示モジュールが提供できることが確認された。尚、この厚さｔ１は、３０μｍ以上あればかなりの程度の効果が期待でき、２０μｍ以上でもある程度の表示ムラの緩和の効果が期待できる。しかしながら、厚さｔ１が２０μｍ以下のように薄すぎると、フレキシブルプリント基板１５から伝わる力を緩和する役目を果たさなくなるため、最低限２０μｍ以上は必要である。尚、この絶縁シート２０の厚さｔ１は厚くなればなるほど、フレキシブルプリント基板１５からの力は緩和できるが、液晶表示モジュールの一般的な要求である薄型化に反することになるため、４０μｍ以下とすることが望ましく、厚くても６０μｍ以下とすることになろう。
【００２９】
次に、絶縁シート２０は、フレキシブルプリント基板１５からの力を緩和するために配置するものであるため、この力が一番顕著に加わると考えられるフレキシブルプリント基板１５の他の一端まで（図４ではＬ１の重畳部分）には重畳させる必要があると考えられる。尚、本発明では、絶縁シート２０は、粘着剤等で固定しても良いが、より簡単に構成し、またフレキシブルプリント基板１５からの力を緩和する役割である点を考慮すると、粘着剤等により固定するのではなく、単にフレキシブルプリント基板１５と反射シート１９の間にフリーで挟みこんでおく構成がより好ましいと考えられる。よって、絶縁シート２０はフレキシブルプリント基板１５の他の一端を越えて反射シート１９上まで配置されていることが好ましく、少なくとも１０ｍｍ以上越えて（Ｌ４≧１０ｍｍ）反射シート上に配置されていることがより好ましい。尚、この絶縁シート２０の長さＬ２は、モールドフレーム１６の絶縁シート２０の収納長さＬ４に対して、Ｌ２≧Ｌ４/２の関係を満たせば、喩えフリーで保持されても絶縁シート２０が外れることはない。
【図面の簡単な説明】
【００３０】
【図１】本発明に関する液晶表示モジュール１０の構成を示すものである。
【図２】図１の本発明の液晶表示モジュールにおけるＡ―Ａ’断面構成を示す図面であり、液晶表示モジュールが上フレーム２１及び下フレーム２２の中に収納されている様子を示している。
【図３】図１の従来の液晶表示モジュールにおけるＢ―Ｂ’断面構成を示す図面であり、液晶表示モジュールが上フレーム２１及び下フレーム２２の中に収納されている様子を示している。
【図４】本発明の絶縁シートの構成を示す図面である。
【図５】従来の液晶表示モジュールの構成を示す斜視図である。
【図６】図５の従来の液晶表示モジュールにおけるＡ―Ａ’断面構成を示す図面であり、液晶表示モジュールが上フレーム２１及び下フレーム２２の中に収納されている様子を示している。
【図７】図５の従来の液晶表示モジュールにおけるＢ―Ｂ’断面構成を示す図面であり、液晶表示モジュールが上フレーム２１及び下フレーム２２の中に収納されている様子を示している。
【符号の説明】
【００３１】
１０  液晶表示モジュール、１１  ＴＦＴ基板、１２  カラーフィルタ基板、
１３  ドライバチップ、１４  偏光板、１５  フレキシブルプリント基板、
１６  モールドフレーム、１７  導光板、１８  光源、１９  反射シート、
２０  絶縁シート、２１  上フレーム、２２  下フレーム、２３  保護板
【図１】
2008170740.tif 000003
【図２】
2008170740.tif 000004
【図３】
2008170740.tif 000005
【図４】
2008170740.tif 000006
【図５】
2008170740.tif 000007
【図６】
2008170740.tif 000008
【図７】
2008170740.tif 000009